【事件の表示】
　特許第２６４４０８１号「電子スチルカメラ」の特許に対する特許異議の申立てについて、次のとおり決定する。
【結　論】
　訂正を認める。
　特許第２６４４０８１号の請求項１ないし４に係る特許を維持する。
【理　由】
１．手続きの経緯
　本件における手続きの経緯は次のとおりである。
特許出願　　　　　　　平成　２年１１月１５日
特許権設定登録　　　　平成　９年　５月　２日
特許異議の申立　　　　平成１０年　２月２５日
取消理由通知　　　　　平成１０年　７月　８日
訂正請求　　　　　　　平成１０年　９月１８日
第１回訂正拒絶理由通知平成１１年　４月１５日
第１回手続補正　　　　平成１１年　６月２８日
第２回訂正拒絶理由通知平成１２年　１月３１日
第２回手続補正　　　　平成１２年　２月２３日
２．訂正の適否についての判断
　ア．訂正請求に対する補正の適否
　上記第２回訂正請求の手続補正は、請求項１〜４を減縮するとともに、これに伴い、特許請求の範囲の記載と発明の詳細な記載との整合を図るものであり、当該訂正請求に対する手続補正は、訂正請求書の要旨を変更するものではなく、特許法第１２０条の４第３項において準用する同法第１３１条第２項の規定に適合する。
　イ．訂正の目的の適否、明細書記載事項からの逸脱及び拡張・変更の存否
　上記訂正事項は、請求項１〜４を減縮し、それに伴い明細書における【課題を解決するための手段】の項を整合させて明瞭化したものであり、特許請求の範囲の減縮、不明瞭な記載の釈明を目的とする訂正に該当する。また、これら訂正は、いずれも願書に添付した明細書又は図面に記載された事項の範囲内のもので、かつ、実質的に特許請求の範囲を拡張しまたは変更するものでもないことが認められる。
  ウ．独立特許要件の判断
　訂正明細書の請求項１〜４に係る発明は、その特許請求の範囲の請求項１〜４に記載された次の事項により特定されるとおりのものである。
（１）フラッシュ装置と、複数のモータによりそれぞれ駆動される複数の機械要素とを備える電子スチルカメラにおいて、前記複数のモータをそれぞれ駆動する制御手段と、該制御手段より前記複数のモータの駆動を示す信号を入力し、前記複数のモータの駆動の組み合わせ状態に応じ、前記複数のモータの内の第１のモータと第２のモータが同時に駆動される場合には、第１の選択信号を出力し、前記第１のモータと第２のモータの一方のみが駆動される場合には第２の選択信号を出力する論理回路と、該論理回路から出力される前記第１の選択信号又は第２の選択信号に基づき、前記複数のモータの回転駆動中において、前記複数のモータの内の同時に駆動されるモータの組み合わせに応じて、前記第１の選択信号が得られた場合には前記フラッシュ装置への充電電流を停止させずに第１の充電電流に減少させ、前記第２の選択信号が得られた場合には前記第１の充電電流よりも大きな第２の充電電流に切り替えるスイッチ手段と、を有することを特徴とする電子スチルカメラ。
（２）前記論理回路は、同時に駆動されている前記モータの数に応じて、前記フラッシュ装置への充電電流を変化させるように前記スイッチ手段を制御することを特徴とする請求項第１項に記載の電子スチルカメラ。
（３）前記スイッチ手段は、充電回路内の複数の電気抵抗を切り替えることにより、前記フラッシュ装置の充電電流を変化させることを特徴とする請求項第１項に記載の電子スチルカメラ。
（４）フラッシュ装置と、モータ駆動による機械要素とを備える電子スチルカメラにおいて、前記モータを駆動する制御手段と、該制御手段より前記モータの駆動を示す信号を入力する論理回路と、該論理回路の出力に基づき前記モータの回転駆動中は前記フラッシュ装置への充電電流を停止させずに減少させるスイッチ手段とを有し、前記論理回路は、前記モータの消費電流の大きさに応じて、前記フラッシュ装置への充電電流を変化させるように前記スイッチ手段を制御すると共に、前記スイッチ手段は、充電回路内の複数の電気抵抗を切り替えることにより、前記フラッシュ装置の充電電流及び発光時間及び発光光量を変化させることを特徴とする電子スチルカメラ。
１）訂正後の請求項１に係る発明について　
（引用刊行物）
　第１回訂正拒絶理由で引用した刊行物１（特開昭５０−９７３２７号公報）には、「第９図に示すように、オン・オフスイッチ３５ならびにスイッチＳ１２を通して変圧器２１５に供給される。スイッチＳ１２は、アンドゲート２２２が論理１の出力信号を生ずるときに閉じられる。ゲート２２２はＲＵＮ信号ならびにＣＬＯＳＥ信号を受けて、モータが停止してシャッタが開いているときに論理１の出力信号を生ずる。第８図および第９図を参照する。ＲＵＮ信号は、フリップフロップＦ１がリセット時にＦ１の論理０出力端に生じ、ＣＬＯＳＥ信号は、フリップフロップＦ２がリセット時にＦ２の論理０出力端に生ずる。スイッチ３５とＳ１２が閉じられると、変圧器２１５はダイオードＤ１を通してコンデンサＣ２を充電する。」（なお、ＲＵＮ、ＣＬＯＳＥにはアッパーラインが付く）（第８頁右下欄第３行目〜第１６行目）と記載されている。また、同じく引用した刊行物２（特開平１−１３８５４４号公報）には、「詳しくは、その時の電源電圧レベルと所定電圧レベルとの差を検出し（ステップ３）、この差が大きいか否かに応じて（電源電圧の消耗度に応じて）、例えばこの差が比較的小さい場合は第４図（ａ）のようなデューティ比のパルスを数回で１サイクルとして、この差がかなりある場合（それ程消耗していない場合）は第４図（ｂ）のようなデューティ比のパルスを数回で１サイクルとして出力ポートＣＨＧ　ＯＮより出力し（ステップ４、５）、充電電流を決定する。このようなパルスが出力ポートＣＨＧ　ＯＮより出力されることにより、抵抗Ｒ１を介してトランジスタＴ１がオンして変換トランスＴＲ１の一次側に電源電圧Ｖｂａｔに相当する電圧が供給され、これに伴い二次側に昇圧された電圧が発生し、該電圧に応じた充電電流により主キャパシタＣ４の充電が開始される。」（第３頁左上欄第４行目〜第２０行目）と記載されている。
（対比・判断）
　訂正後の請求項１と引用刊行物１，２記載のものとを対比すると、本件請求項１に係る発明は、複数のモータをそれぞれ駆動する制御手段より前記複数のモータの駆動を示す信号を入力し、前記複数のモータの駆動の組み合わせ状態に応じ、前記複数のモータの内の第１のモータと第２のモータが同時に駆動される場合には、第１の選択信号を出力し、前記第１のモータと第２のモータの一方のみが駆動される場合には第２の選択信号を出力する論理回路と、該論理回路から出力される前記第１の選択信号又は第２の選択信号に基づき、前記複数のモータの回転駆動中において、前記複数のモータの内の同時に駆動されるモータの組み合わせに応じて、前記第１の選択信号が得られた場合にはフラッシュ装置への充電電流を停止させずに第１の充電電流に減少させ、前記第２の選択信号が得られた場合には前記第１の充電電流よりも大きな第２の充電電流に切り替えるスイッチ手段とを有しているのに対して、引用刊行物１，２にはそのようなことが記載されていない点で相違している。そして、そのような本件請求項１に係る発明における上記構成は、上記引用刊行物１，２記載のものから当業者が容易に発明をすることができたものとも認められない。
　したがって、訂正後の請求項１に係る発明が特許出願の際独立して特許を受けることができない発明であるとすることはできない。
２）訂正後の請求項２，３に係る発明について
　訂正後の請求項２，３は訂正後の請求項１の従属項であるから、同請求項２，３に係る発明は、上記（１）の理由により、引用刊行物１，２記載のものから当業者が容易に発明することができたものとはいえず、特許出願の際独立して特許を受けることができない発明とすることはできない。
３）訂正後の請求項４に係る発明について
　訂正後の請求項４に係る発明と引用刊行物１，２記載のものと対比すると、訂正後の請求項４に係る発明が、スイッチ手段が、充電回路内の複数の電気抵抗を切り替えることにより、フラッシュ装置の充電電流及び発光時間及び発光光量を変化しているのに対し、引用刊行物１，２にはそのようなことが記載されていない点で相違している。そして、そのような本件請求項４に係る上記構成は、上記引用刊行物１、２記載のものから当業者が容易に発明をすることができたものとも認められない。
　したがって、訂正後の請求項４に係る発明が特許出願の際独立して特許を受けることができない発明であるとすることはできない。　
　エ、むすび
　以上のとおりであるから、上記訂正請求は、特許法第１２０条の４第２項及び同条第３項で準用する第１２６条第２−４項の規定に適合するので、当該訂正を認める。
３．特許異議の申立てについての判断
　申立人島田洋は、訂正前の請求項１〜４に係る発明について、これら発明は、甲第１号証（特開昭５０−９７３２７号公報）、甲第２号証（特開平１−１２８２６１号公報）、甲第３号証（特開平１−１３８５４４号公報）及び甲第４号証（特開昭６０−１９４６７７号公報）に基づき当業者が容易に発明をすることができたものと認められるから、特許法第２９条第２項の規定により、特許を受けることができないものであるとの理由により、訂正前の請求項１〜４に係る発明の特許を取り消すべきであると主張している。
（甲各号証記載の発明）
１）甲第１号証（特開昭５０−９７３２７号公報）には、前記２．ウにおいて引用刊行物１として記載した事項が記載されている。
２）甲第２号証（特開平１−１２８２６１号公報）には、「本発明では、記録媒体を駆動するスピンドルモータの起動後、位相ロックまたは速度ロックされるまで、ＡＦアクチュエータ作動のような大電力消費部の少なくとも一部の動作を禁止する手段を具備したことを特徴とするものである。これにより、スピンドルモータ起動電流とＡＦアクチュエータ駆動電流とを効果的にタイムシェアリングして電池の電圧低下が抑えられる。」（第２頁右下欄第１６行目〜第３頁左上欄第３行目）と記載されている。
３）甲第３号証（特開平１−１３８５４４号公報）には、前記２．ウにおいて引用刊行物２として記載した事項が記載されている。
４）甲第４号証（特開昭６０−１９４６７７号公報）には、「一方、該タイミング制御回路２０は、モータによるシャッタのチャージ動作を開始してから時間Ｔ３が経過した後、プランジャ１６に指令信号を送り磁気ヘッド９の送り動作を行わせる。この遅れ時間Ｔ３は、第４図のタイミングチャートより明らかなように、シャッタのチャージ電流のピークが終了するまで設定される。即ち、シャッタのチャージ電流のピークが終了しないうちにプランジャ１６を駆動しないように設定される。このようにすることにより、第４図（ハ）より明らかなように、シャッタのチャージ電流と、プランジャの駆動電流の加算値が、シャッタのチャージ電流のピークを越えないようにすることができる。従って、電池の電源容量を超えることがないので電池に過度の負担をかけることがない。」（第３頁左下欄第１９行目〜同頁右下欄第１４行目）と記載されている。
（対比・判断）
（１）訂正後の請求項１に係る発明について
　本件訂正後の請求項１に係る発明と上記甲第１〜４号証記載の発明とを対比すると、本件請求項１に係り上記２．ウで引用刊行物１，２記載のものとの相違点として述べた構成が、上記甲第１〜４号証には記載されてなく、また、上記甲第各号証記載のものから当業者が容易に発明をすることができたものとも認められない。
（２）訂正後の請求項２，３に係る発明について
　訂正後の請求項２，３は訂正後の請求項１の従属項であるから、同請求項２，３に係る発明は、上記（１）の理由により、甲第各号証記載のものから当業者が容易に発明をすることができたものとはいえない。
（３）訂正後の請求項４に係る発明について
　訂正後の請求項４に係る発明と上記甲第各号証記載のものと対比すると、本件請求項４に係り上記２．ウで引用刊行物１，２記載のものとの相違点として述べた構成が、上記甲第１〜４号証には記載されてなく、また、上記甲第各号証記載のものから当業者が容易に発明をすることができたものとも認められない。
４．むすび
　以上のとおり、本件において請求する訂正は適法であり、また同請求により訂正された特許請求の範囲の請求項１〜４に係る発明の特許について、これを取り消すべき理由は見出せない。
　よって、結論のとおり決定する。
【異議決定日】
平成１２年６月２０日（２０００．６．２０）
【訂正の要旨】
　訂正の要旨
　ａ．特許請求の範囲を以下のように訂正する。
　記
（１）フラツシユ装置と、
複数の
によりそれぞれ
される複数の
　
前記複数のモータをそれぞれ駆動する制御手段と、
　
該制御手段より前記複数のモータの駆動を示す信号を入力し、前記複数のモータの駆動の組み合わせ状態に応じ、前記複数のモータの内の第１のモータと第２のモータが同時に駆動される場合には、第１の選択信号を出力し、前記第１のモータと第２のモータの一方のみが駆動される場合には第２の選択信号を出力する論理回路と、
　
該論理回路から出力される前記第１の選択信号又は第２の選択信号に基づき、
複数の
において、前記複数のモータの内の同時に駆動されるモータの組み合わせに応じて前記第１の選択信号が得られた場合には
停止させずに第１の充電電流に
、前記第２の選択信号が得られた場合には前記第１の充電電流よりも大きな第２の充電電流に切り替えるスイツチ手段と、
　
を有する
（２）
前記論理回路は、同時に駆動されている
数
ように前記スイツチ手段を制御する
（３）
前記スイツチ手段は、
装置
１
（４）
フラツシユ装置と、モータ駆動による機械要素とを備える電子スチルカメラにおいて、
　
前記モータを駆動する制御手段と、
　
該制御手段より前記モータの駆動を示す信号を入力する論理回路と、
　
該論理回路の出力に基づき前記モータの回転駆動中は前記フラツシユ装置への充電電流を停止させずに減少させるスイツチ手段とを有し、
　
前記論理回路は、前記モータの消費電流の大きさに応じて、前記フラツシユ装置への充電電流を変化させるように前記スイツチ手段を制御すると共に、前記スイツチ手段は、充電回路内の
充電電流及び
　上記の特許請求の範囲の訂正に伴い、特許請求の範囲の記載と発明の詳細な説明の記載との整合を図るため、明りょうでない記載の釈明を目的として、明細書第６頁第１９行目乃至第７頁第１７行目（特許公報第４欄第５行目乃至第２２行目）を下記のように訂正する。
　　　　　　　　　　　　　　　　　記
［課題を解決するための手段］
　上述の課題を解決し目的を達成するために、本発明の電子スチルカメラは、フラツシユ装置と、
複数の
によりそれぞれ
される複数
前記複数のモータをそれぞれ駆動する制御手段と、該制御手段より前記複数のモータの駆動を示す信号を入力し、前記複数のモータの駆動の組み合わせ状態に応じ、前記複数のモータの内の第１のモータと第２のモータが同時に駆動される場合には、第１の選択信号を出力し、前記第１のモータと第２のモータの一方のみが駆動される場合には第２の選択信号を出力する論理回路と、該論理回路から出力される前記第１の選択信号又は第２の選択信号に基づき、
複数の
において、前記複数のモータの内の同時に駆動されるモータの組み合わせに応じて、前記第１の選択信号が得られた場合には
停止させずに第１の充電電流に
、前記第２の選択信号が得られた場合には前記第１の充電電流よりも大きな第２の充電電流に切り替えるスイツチ手段と、を有する
　また、この発明に係わる電子スチルカメラにおいて、
前記論理回路は、同時に駆動されている
ように前記スイツチ手段を制御する
　また、この発明に係わる電子スチルカメラにおいて、
前記スイツチ手段は、
装置
また、本発明に係わる電子スチルカメラは、フラツシユ装置と、モータ駆動による機械要素とを備える電子スチルカメラにおいて、前記モータを駆動する制御手段と、該制御手段より前記モータの駆動を示す信号を入力する論理回路と、該論理回路の出力に基づき前記モータの回転駆動中は前記フラツシユ装置への充電電流を停止させずに減少させるスイツチ手段とを有し、前記論理回路は、前記モータの消費電流の大きさに応じて、前記フラツシユ装置への充電電流を変化させるように前記スイツチ手段を制御すると共に、前記スイツチ手段は、充電回路内の
充電電流及び
（５４）【発明の名称】
電子スチルカメラ
（５７）【特許請求の範囲】
（１）フラツシユ装置と、
複数の
によりそれぞれ
される複数の
　
前記複数のモータをそれぞれ駆動する制御手段と、
　
該制御手段より前記複数のモータの駆動を示す信号を入力し、前記複数のモータの駆動の組み合わせ状態に応じ、前記複数のモータの内の第１のモータと第２のモータが同時に駆動される場合には、第１の選択信号を出力し、前記第１のモータと第２のモータの一方のみが駆動される場合には第２の選択信号を出力する論理回路と、
　
該論理回路から出力される前記第１の選択信号又は第２の選択信号に基づき、
複数の
において、前記複数のモータの内の同時に駆動されるモータの組み合わせに応じて、前記第１の選択信号が得られた場合には
停止させずに第１の充電電流に
、前記第２の選択信号が得られた場合には前記第１の充電電流よりも大きな第２の充電電流に切り替えるスイツチ手段と、
　
を有する
（２）
前記論理回路は、同時に駆動されている
数
ように前記スイツチ手段を制御する
（３）
前記スイツチ手段は、
装置
１
（４）
フラツシユ装置と、モータ駆動による機械要素とを備える電子スチルカメラにおいて、
　
前記モータを駆動する制御手段と、
　
該制御手段より前記モータの駆動を示す信号を入力する論理回路と、
　
該論理回路の出力に基づき前記モータの回転駆動中は前記フラツシユ装置への充電電流を停止させずに減少させるスイツチ手段とを有し、
　
前記論理回路は、前記モータの消費電流の大きさに応じて、前記フラツシユ装置への充電電流を変化させるように前記スイツチ手段を制御すると共に、前記スイツチ手段は、充電回路内の
充電電流及び
【発明の詳細な説明】
［産業上の利用分野］
　本発明は、フラツシユ装置を備える電子スチルカメラに関するものである。
［従来の技術］
　従来、フラツシユ装置を備える電子スチルカメラのフラツシユの充電は、撮影の直前または直後に、磁気デイスク駆動用のスピンドルモータやズームモータが起動していない状態において行われていた。
　第５図ならびに第６図を用いて、従来の電子スチルカメラにおける、フラツシユ発光を伴う撮影動作について説明する。
　第５図は、従来のフラツシユ装置の概略構造を示した図である。電池などからＤＣ−ＤＣコンバータで昇圧して得られる高圧直流電源は、主放電コンデンサＣ、トリガ回路、発光管に電圧を供給している。トリガ回路は主放電コンデンサＣに蓄積されていく電荷量をモニタし、所定の電位に達したところで、撮影者ならびにシステムコントローラに対して信号を出力するように構成されている。また、発光管は高圧直流電源のみでは発光せず、システムコントローラから送られてくる信号によりトリガ回路が発するトリガ信号を受けて、初めて導通し発光するような性質を有している。
　ここで、主放電コンデンサＣへ充電を行う時、大電流が高圧直流電源から主放電コンデンサＣに供給される。この時、主電源としての電池から取り出せる電流には制限があるため、電池の使用状況によっては、電圧が必要以上にドロツプしてしまうことがある。そのため、主放電コンデンサＣへの充電中には、スピンドルモータやズ−ムモ−タを安定に駆動することができず、従つて、従来の電子スチルカメラにおいては、フラツシユ充電と、モ−タ類の駆動は別々の時間に行われていた。
　この従来例の電子スチルカメラの動作シ−クエンスを示したものが第６図である。
　まず、測光スイツチＳＷ１がＯＮになると被写体の明るさを測定する測光（ＡＥ）が行われ、次にレンズが駆動されて自動焦点合わせ（ＡＦ）が行われる。そして、被写体の明るさを測定した結果フラツシユが必要と判断された時には、フラツシユ充電が行われる。次に、レリ−ズスイツチＳＷ２がＯＮになる前にスピンドルモ−タが回転する（ＶＦ回転）が、図示した通り、このスピンドルモ−タの回転は、フラツシユ充電が完了した後に行われ、フラツシユ充電中は、スピンドルモ−タの回転駆動は行われない。
　次にレリ−ズスイツチＳＷ２がＯＮになると、シヤツタ−が開き、フラツシユ発光が行われた後にシヤツタ−が閉じて撮影が行われる。そして、磁気デイスクヘの画像信号の記録が行われた後、次のトラツクへ磁気ヘツドが移動して、撮影を終了する。
　この後、次の撮影に備えて、フラツシユ充電やズ−ミング動作が行われるが、この時も、フラツシユ充電とズ−ムモ−タの駆動は別々の時間に行われ、フラツシユ充電中は、ズ−ムモ−タの回転駆動は行われない。
［発明が解決しようとしている課題］
　しかしながら、上記の従来例においては、モ−タの駆動中にフラツシユの充電を行うことができないため、特にフラツシユ発光を伴う条件下での連続撮影や電動ズーム操作後の撮影の場合、フラツシユの充電が間に合わないことがあつた。そのため、撮影タイミングを重視した場合には、フラツシユの光量不足になつてしまい、また逆にフラツシユ充電を重視した場合には、シヤツターチヤンスを逃がすという問題点があった。
　従つて、本発明の電子スチルカメラは上述の問題点に鑑みてなされたものであり、その目的とするところは、スピンドルモ−タやズ−ムモ−タ等の駆動中でもフラツシユの充電動作が可能で、フラツシユの光量不足や、シヤツタ−チヤンスを逃がすことが起こりにくい電子スチルカメラを提供することにある。
［課題を解決するための手段］
　上述の課題を解決し目的を達成するために、本発明の電子スチルカメラは、フラツシユ装置と、
複数の
によりそれぞれ
される複数の
前記複数のモータをそれぞれ駆動する制御手段と、該制御手段より前記複数のモータの駆動を示す信号を入力し、前記複数のモータの駆動の組み合わせ状態に応じ、前記複数のモータの内の第１のモータと第２のモータが同時に駆動される場合には、第１の選択信号を出力し、前記第１のモータと第２のモータの一方のみが駆動される場合には第２の選択信号を出力する論理回路と、該論理回路から出力される前記第１の選択信号又は第２の選択信号に基づき、
複数の
において、前記複数のモータの内の同時に駆動されるモータの組み合わせに応じて、前記第１の選択信号が得られた場合には
停止させずに第１の充電電流に
、前記第２の選択信号が得られた場合には前記第１の充電電流よりも大きな第２の充電電流に切り替えるスイツチ手段と、を有する
　また、この発明に係わる電子スチルカメラにおいて、
前記論理回路は、同時に駆動されている
数
ように前記スイツチ手段を制御する
　また、この発明に係わる電子スチルカメラにおいて、
前記スイツチ手段は、
装置
　
また、本発明に係わる電子スチルカメラは、フラツシユ装置と、モータ駆動による機械要素とを備える電子スチルカメラにおいて、前記モータを駆動する制御手段と、該制御手段より前記モータの駆動を示す信号を入力する論理回路と、該論理回路の出力に基づき前記モータの回転駆動中は前記フラツシユ装置への充電電流を停止させずに減少させるスイツチ手段とを有し、前記論理回路は、前記モータの消費電流の大きさに応じて、前記フラツシユ装置への充電電流を変化させるように前記スイツチ手段を制御すると共に、前記スイツチ手段は、充電回路内の
充電電流及び
［作用］
　上記の様に、この発明に係わる電子スチルカメラは構成されているので、モータの駆動中においても継続的にフラツシユ充電を行うことが可能となり、限られた時間内でフラツシユ充電が効率良く行われ、フラツシユ不足を起きにくくすることができる。また、モ−タの駆動中においては、制限された電流でフラツシユ充電を行い、モータが停止している場合においては、通常の電流値によるフラツシユの充電を行うことにより、トータルとしてフラツシユの充電時間による撮影の遅れを少なくすることができる。
［実施例］
　以下、本発明の好適な一実施例について、図面を参照して詳細に説明する。
　第１図は一実施例の電子スチルカメラの構成を示すブロツク図である。
　図中、１０１は後述する撮像素子１０３上に被写体像を結像させる撮像光学系、１０２は撮像素子１０３に入射する光量を調節するための絞り、１１３はシヤツタ−、１０３は撮像素子、１０４は撮像素子１０３から得られた映像信号をスチルビデオのビデオ信号記録フオ−マットに準拠した信号に変換処理するためのビデオ信号処理回路、１０５はビデオ信号処理回路１０４から出力されたビデオ信号を、磁気ヘツド１１５により、記録媒体である磁気デイスク１１６に磁気記録するための記録回路である。
　また、１０６は被写体の明るさを検出するための測光センサ、１０７は被写体までの距離を測定するための測距センサ、１０８は電子スチルカメラ全体の動作を制御するシステムコントロ−ラ、１０９はシステムコントロ−ラに対して指令情報を入力するスイツチ群、１１０はカメラの状態を表示するためのＬＣＤ表示装置、１１１はフラツシユの充放電を行うフラツシユ充放電回路、１１２は、後述するスピンドルモ−タ１１７、ヘツド送りモ−タ１１８、ズ−ムモ−タ１１９、絞り駆動モ−タ１２０、フオ−カスモ−タ１２１、シヤツタ−駆動モ−タ１２２をそれぞれ駆動するためのモ−タドライバである。
　そして、１１７は磁気デイスク１１６を一定速度で回転駆動するためのスピンドルモ−タ、１１８は磁気ヘツド１１５を磁気デイスク１１６上の所定のトラツクに移動させるためのヘツド送りモータ、１１９は撮像光学系１０１の中の所定のレンズを駆動してズ−ミング動作を行わせるためのズ−ムモ−タ、１２０は絞りの開き量を変化させるための絞り駆動モ−タ、１２１は撮像光学系の中の所定のレンズを駆動して焦点合わせを行うフオ−カスモ−タ、１２２はシヤツタ−の開閉を行わせるシヤツタ−駆動モ−タである。
　次に、これらの構成からなる電子スチルカメラの動作を第４図のフローチヤートを用いて説明する。
　まず、一枚手前の撮影が終った時点で、システムコントロ−ラ１０８は、フラツシユの充電が必要であるか否かを判断する（Ｓ４０１）。もし、フラツシユの充電が必要でなければ、Ｓ４０３に進み、フラツシユの充電が必要であれば（Ｓ４０１Ｙｅｓ）、システムコントローラ１０８は、フラツシユ充放電回路１１１に命令してフラツシユの充電を開始させた後に（Ｓ４０２）、Ｓ４０３に進む。その後、撮影者はズ−ミングが必要であればスイツチ群１０９の中のズ−ムスイツチＷ−ＳＷ（広角要求スイッチ）またはＴ−ＳＷ（望遠要求スイッチ）をＯＮとし（Ｓ４０３）、必要でなければＳ４０５に進む。
　ズ−ムスイツチＷ−ＳＷまたはＴ−ＳＷがＯＮになると（Ｓ４０３）、システムコントローラ１０８はモータドライバ１１２を介してズームモータ１１９を駆動し、撮像光学系１０１の中の所定のレンズを移動させ、所望の画角を得る（Ｓ４０４）。この時、レンズの移動は使用するレンズによりあらかじめ定められているレンズ移動範囲内でＷ−ＳＷまたはＴ−ＳＷがＯＮになっている間実行される。ズームスイツチＷ−ＳＷ及びＴ−ＳＷが同時にＯＮにされた場合やレンズ移動範囲の限界に達し、更に移動させようとする場合には、システムコントローラ１０８は強制的にレンズの移動を中止する。
　この時点では、Ｓ４０１においてフラツシユ充電が必要と判断されていた場合には、フラツシユの充電が継続的に行われている。そして、このフラツシユ充電中にズ−ミングが行われる場合には、システムコントローラ１０８からの命令により、フラツシユ充放電回路１１１は、フラツシユ充電のための電流値を減少させる。これにより、電源電圧の過度の電圧降下が抑制されて、ズ−ムモ−タ１１９の動作が不安定にならないようにされる。このフラツシユ充放電回路１１１の詳細については後述する。
　次に、撮影者がスイツチ群１０９の中の測光スイツチＳＷ１をＯＮにすると（Ｓ４０５）、フラツシユの充電動作は、充電が完了していない場合でも一旦中止される。そして、システムコントローラ１０８は測光センサー１０６及び測距センサー１０７に命令して、被写体の明るさ並びに距離を検知させ（Ｓ４０６）、システムコントローラ１０８はこの検知結果を用いて撮影のための絞り値及びシヤツタスピードを演算する（Ｓ４０７）。
　その結果、フラツシユの発光が必要と判断された場合（Ｓ４０８Ｙｅｓ）、フラツシユ発光時の電源となる主放電コンデンサの充電がすでに完了しているかを調べ（Ｓ４０９）、充電の必要な場合、主放電コンデンサの充電動作を再び開始させる（Ｓ４１０）。また、フラツシユの発光が必要と判断されなかった場合（Ｓ４０８Ｎｏ）及び、フラツシユの充電が完了している場合（Ｓ４０９Ｎｏ）には、そのままＳ４１１に進む。
　次に、システムコントローラ１０８はモータドライバ１１２を介して、絞り駆動モータ１２０を駆動し、Ｓ４０７の演算により得られた絞り値に絞り１０２を調整する（Ｓ４１１）。またこれに続いてシステムコントローラ１０８は、測距センサー１０７により得られた被写体までの距離に焦点が合うようにモータドライバ１１２を介してフオ−カスモータ１２１を駆動する（Ｓ４１２）。
　ここにおいても、Ｓ４０８においてフラツシユの発光の必要があり（Ｓ４０８Ｙｅｓ）、Ｓ４０９においてフラツシユの充電が完了していない場合（Ｓ４０９Ｎｏ）には、フラツシユの充電は継続的に行われている。このフラツシユ充電中に、絞り駆動モ−タ１２０による絞りの駆動や、フオ−カスモ−タ１２１による焦点調節動作が行われる場合には、フラツシユの充電電流値は減少され、電源の過度の電圧降下が起きないようにされる。
　以上Ｓ４０５からＳ４１２までの動作が測光スイツチＳＷ１がＯＮで、スイツチ群１０９の中のレリ−ズスイツチＳＷ２がＯＦＦの状態において、繰り返し実行される。
　次に、撮影者により、レリ−ズスイツチＳＷ２がＯＮにされると（Ｓ４１３）、フラツシユ充電を中止し、フラツシユの発光が必要な場合（Ｓ４１４）、主放電コンデンサの充電が完了しているか調べ（Ｓ４１５）、充電が完了している場合（Ｓ４１５Ｙｅｓ）にはフラツシユを発光させる（Ｓ４１６）。そして、システムコントローラ１０８はモータドライバ１１２を介してシヤツタ−駆動モ−タ１２２を駆動し、シヤツタ−１１３を開閉して撮影を行う（Ｓ４１７）。
　撮像光学系１０１を通して入力される被写体光は、シヤツタ１１３が開いている間、撮像素子１０３を露光させ、その画像情報は電気信号に変換される。電気信号に変換された画像情報は、順次撮像素子１０３から読み出され、ビデオ信号処理回路１０４に入力される。この画像情報は、ビデオ信号処理回路１０４によって、スチルビデオのビデオ信号記録フオーマツトに合つた信号に変換処理され、記録回路１０５を介して記録媒体である磁気デイスク１１６に記録が行われる。
　このようにして、撮影した画像が磁気デイスク１１６に記録された後、磁気ヘツド１１５は次に記録可能な磁気デイスク１１６上のトラツクにヘツド送りモータ１１８により移動される（Ｓ４１８）。そして、システムコントローラ１０８は磁気デイスク１１６の回転を停止させて次の撮影にそなえる。このようにして、１回の撮影動作を完了する。
　上述した撮影動作のシ−クエンスを示したものが第３図である。これが、従来例の第６図と異なる点は、フラツシユの充電動作である。図の斜線部分が、電流値を減少させた状態でフラツシユ充電を行つている期間であり、モ−タの回転駆動中もフラツシユ充電が行われている状態を示している。
　次に、上述したように、モ−タ類の回転駆動中にフラツシユ充電の電流値を減少させるフラツシユ充放電回路１１１について説明する。第２図はフラツシユ充放電回路１１１の構成を示した図である。主放電コンデンサＣに直列に電流制限抵抗Ｒが接続され、更にその抵抗Ｒと並列にスイツチＳＷが接続されている。スイツチＳＷはシステムコントローラ１０８からの指示、もしくはどのモータも駆動されていない場合にオンし、電流制限抵抗Ｒを短絡するようになつている。
　すなわち、充電時、モータのいずれか１つでも駆動されると、スイツチＳＷがオフし、抵抗Ｒにより充電電流値が減少され、ゆつくりと充電されるようになる。そして、全てのモータが停止するとスイツチＳＷがオンして充電電流の制限がはずされ、急速に充電されるようになる。放電時はシステムコントローラ１０８からスイツチＳＷがオンするように制御信号が出力され、システムコントローラ１０８から送出される信号を受けてトリガ回路から発せられるトリガ信号により発光管が放電して光を発する。
　以上説明したように、モ−タの回転駆動中に、フラッシュの充電電流値を減少させることにより、モータ駆動中においても主放電コンデンサＣへの充電が可能となる。
（他の実施例）
　一実施例では、電流制限抵抗が１つの場合について説明したが、モータの駆動モードや消費電流の状況によつて複数の電流制限抵抗を設けても良い。第７図は、この他の実施例のフラツシユ充放電回路の構成を示した図である。図示したようにスイツチＳＷの切替えセレクタが設けられている。この切替セレクタにより電流制限抵抗Ｒ１，Ｒ２（Ｒ１＞Ｒ２）が選択される組み合わせを第８図に示す。
　また、一実施例の説明では、主放電コンデンサＣの放電時、すなわちフラツシユ発光時、スイツチＳＷによつて電流制限抵抗を短絡した状態としたが、幾つかの抵抗の中から一つを選択して接続し、放電を行うと、発光管の発光時間ならびに発光光量に変化を生じさせることが可能となる。
　以上説明したように、フラツシユの主放電コンデンサＣの充電電流値の大きさとして、２つ以上のモードを設け、それを、駆動されているモータの消費電力の違いや、同時に駆動されているモータの数の違い等に応じて切り替えることにより、モータの駆動中においてもフラツシユの主放電コンデンサＣへの充電を継続することが可能になり、フラツシユの充電時間による撮影の遅れを少なくすることが可能となる。
　なお、本発明は、その主旨を逸脱しない範囲で、上記実施例を修正もしくは変形したものに適用可能である。
［発明の効果］
　以上述べた様に、この発明に係わる電子スチルカメラによれば、モータの駆動中においても継続的にフラツシユ充電を行うことが可能となり、限られた時間内でフラツシユ充電が効率良く行われ、フラツシユの光量不足を起きにくくすることができるという効果がある。また、モータの駆動中においては、制限された電流でフラツシユ充電を行い、モータが停止している場合においては、通常の電流値によるフラツシユの充電を行うことにより、トータルとしてフラツシユの充電時間による撮影の遅れを少なくすることができるという効果がある。
【図面の簡単な説明】
　第１図は一実施例の電子スチルカメラの構成を示すブロツク図、
　第２図はフラツシユ充放電回路の構成を示した図、
　第３図は一実施例の撮影動作のシークエンスを示した図、
　第４図は一実施例の電子スチルカメラの動作を示したフローチヤート、
　第５図は従来のフラツシユ装置の概略構造を示した図、
　第６図は従来の電子スチルカメラの動作シ−クエンスを示した図、
　第７図は他の実施例のフラツシユ充放電回路の構成を示した図、
　第８図は電流制限抵抗が選択される組み合わせを示した図である。
　図中、１０１…撮像光学系、１０２…絞り、１０８…システムコントローラ、１１１…フラツシユ充放電回路、１１３…シヤツタ−、１１５…磁気ヘツド、１１６…磁気デイスクである。